【手続補正書】
【提出日】平成28年2月1日(2016.2.1)
【手続補正１】
【補正対象書類名】特許請求の範囲
【補正対象項目名】全文
【補正方法】変更
【補正の内容】
【特許請求の範囲】
【請求項１】
無線アクセス端末（Ｗ−ＡＴ）においてターゲット特定コンテンツ−メッセージを提供するための方法であって、
コンテンツ−メッセージのプールの各コンテンツ−メッセージ内のコンテンツを記述するメタデータを遠隔装置から受信することと、ここで、コンテンツ−メッセージの前記プールは、一組の広告メッセージを含む、
前記Ｗ−ＡＴにおいてユーザープロフィールに基づいて前記メタデータをフィルタリングして、コンテンツ−メッセージの前記プール内の前記一組の広告メッセージから少なくとも１つの特定のコンテンツ−メッセージを選択することと、
前記選択された少なくとも１つの特定のコンテンツ−メッセージに関する要求を前記遠隔装置に送信することと、
前記要求に応じて、前記選択された少なくとも１つの特定のコンテンツ−メッセージをコンテンツ−メッセージの前記プールから受信すること、
キャッシュ方針に基づいて提示した後に、前記Ｗ−ＡＴ上のキャッシュ内に前記選択された少なくとも１つの特定のコンテンツ−メッセージを保持することと、を備え、前記キャッシュ方針は、
前記選択された少なくとも１つの特定のコンテンツ−メッセージの提示例数、前記選択された少なくとも１つの特定のコンテンツ−メッセージの総表示時間、ユーザーによるコンテンツ−メッセージ選択、前記ユーザーによるテレスコーピング選択、コンテンツ−メッセージの引き渡しと関連づけられた前記Ｗ−ＡＴ上でのサービスの使用、またはこれらの任意の組合せ、から選択される１つ以上の規則を含む、方法。
【請求項２】
一組のコンテンツ−メッセージに関する要求を前記遠隔装置に送信することをさらに備える、請求項１に記載の方法。
【請求項３】
前記メタデータは前記要求に応じて受信され、前記メタデータは、前記一組のコンテンツ−メッセージに関連するコンテンツ−メッセージに関する特定のメタデータを含む、請求項２に記載の方法。
【請求項４】
コンテンツ−メッセージに関する第１の要求を前記遠隔装置に送信することをさらに備え、前記第１の要求は、コンテンツ−メッセージ選択限定子を含み、前記メタデータは、前記要求に含まれる前記コンテンツ−メッセージ選択限定子に応じた前記コンテンツ−メッセージに関する特定のメタデータを含む、請求項１に記載の方法。
【請求項５】
ユーザーの活動と前記選択された少なくとも１つの特定のコンテンツ−メッセージを関連付けることと、
前記ユーザーの活動に応じて及び前記メタデータに基づいて前記選択された少なくとも１つの特定のコンテンツ−メッセージを前記ユーザーに提示することと、をさらに含み、前記ユーザーの活動は、前記選択された少なくとも１つの特定のコンテンツ−メッセージのメタデータ成分と関連づけられた前記Ｗ−ＡＴの所与の使用を含む、請求項１に記載の方法。
【請求項６】
前記１つまたは複数の規則は、前記選択された少なくとも１つの特定のコンテンツ−メッセージと関連づけられた前記メタデータにおいて提供される、請求項５に記載の方法。
【請求項７】
前記ユーザーが前記選択された少なくとも１つの特定のコンテンツ−メッセージを受信すべきかどうかを判別するために及び前記選択された少なくとも１つの特定のコンテンツ−メッセージを前記ユーザーに提示すべきかどうか及びどの時点で提示すべきかを決定するためにコンテキスト情報を用いることをさらに備え、前記コンテキスト情報は、前記Ｗ−ＡＴのコンテキストプロフィール及び前記Ｗ−ＡＴの動作を記述する、請求項５に記載の方法。
【請求項８】
前記コンテキスト情報は、前記Ｗ−ＡＴの前記ユーザーの申し込みプロフィールと選好とを含む、請求項７に記載の方法。
【請求項９】
前記メタデータは、前記選択された少なくとも１つの特定のコンテンツ−メッセージに対応するコンテンツ−メッセージメタデータを含み、
前記フィルタリングすることは、前記ユーザープロフィール及び前記コンテンツ−メッセージメタデータに従って前記選択された少なくとも１つの特定のコンテンツ−メッセージを選択することを含み、
前記選択された少なくとも１つの特定のコンテンツ−メッセージは、前記選択された少なくとも１つの特定のコンテンツ−メッセージに関する前記要求に応じて受信される、請求項１に記載の方法。
【請求項１０】
前記Ｗ−ＡＴにおいて少なくとも１つの使用法関連規則を用いてコンテンツ−メッセージ関連プロフィールを生成することと、
１つ以上の基本規則に応じて前記コンテンツ−メッセージ関連プロフィールを生成することと、をさらに備え、前記１つ以上の基本規則は、少なくとも１つの予めスケジューリングされたイベントを含み、
前記メタデータは、前記選択された少なくとも１つの特定のコンテンツ−メッセージに対応するコンテンツ−メッセージメタデータを含み、
前記フィルタリングすることは、前記ユーザープロフィール及び前記コンテンツ−メッセージメタデータに従って前記選択された少なくとも１つの特定のコンテンツ−メッセージを選択することを含み、
前記選択された少なくとも１つの特定のコンテンツ−メッセージは、前記選択された少なくとも１つの特定のコンテンツ−メッセージに関する要求に応じて受信される、請求項１に記載の方法。
【請求項１１】
前記メタデータは、前記一組の広告メッセージのうちの１つ以上のマイムタイプ、前記一組の広告メッセージのうちの１つ以上の広告継続時間、前記一組の広告メッセージのうちの１つ以上の広告閲覧開始時間、および／または前記一組の広告メッセージのうちの１つ以上の広告閲覧終了時間を含む、請求項１に記載の方法。
【請求項１２】
前記メタデータは、コンテンツ−メッセージの前記プールを受信する前記Ｗ−ＡＴを用いずに前記Ｗ−ＡＴにおいて受信される、請求項１に記載の方法。
【請求項１３】
無線アクセス端末（Ｗ−ＡＴ）のユーザーに提示するためにターゲット特定コンテンツ−メッセージを提供するための方法であって、
前記Ｗ−ＡＴにおいてユーザープロフィールを提供することと、
コンテンツ−メッセージのプール内のコンテンツを記述するメタデータに基づいて前記Ｗ−ＡＴにおいて少なくとも１つの特定のコンテンツ−メッセージを選択することと、ここで、前記少なくとも１つの特定のコンテンツ−メッセージは、コンテンツ−メッセージの前記プール内に含まれる一組の広告メッセージから選択される、
前記選択された少なくとも１つの特定のコンテンツ−メッセージに関する要求を遠隔装置に送信することと、
前記要求に応じて前記Ｗ−ＡＴにおいて前記選択された少なくとも１つの特定のコンテンツ−メッセージを受信することと、
前記ユーザープロフィールに基づいて前記Ｗ−ＡＴによって前記ユーザーに前記選択された少なくとも１つの特定のコンテンツ−メッセージを提示することと、
キャッシュ方針に基づいて前記提示した後に、前記Ｗ−ＡＴ上のキャッシュ内に前記選択された少なくとも１つの特定のコンテンツ−メッセージを保持することと、を備え、前記キャッシュ方針は、
前記選択された少なくとも１つの特定のコンテンツ−メッセージの提示例数、前記選択された少なくとも１つの特定のコンテンツ−メッセージの総表示時間、前記ユーザーによるコンテンツ−メッセージ選択、前記ユーザーによるテレスコーピング選択、コンテンツ−メッセージの引き渡しと関連づけられた前記Ｗ−ＡＴ上でのサービスの使用、またはこれらの任意の組合せ、から選択される１つ以上の規則を含む、方法。
【請求項１４】
前記提示することは、ユーザーの活動に応じて及び前記メタデータに基づいて生じ、前記ユーザーの活動は、前記選択された少なくとも１つの特定のコンテンツ−メッセージのメタデータ成分と関連づけられた前記Ｗ−ＡＴの所与の使用を含む、請求項１３に記載の方法。
【請求項１５】
前記ユーザーが前記選択された少なくとも１つの特定のコンテンツ−メッセージを受信すべきかどうかを判別するために及び前記選択された少なくとも１つの特定のコンテンツ−メッセージを前記ユーザーに提示すべきかどうか及びどの時点で提示すべきかを決定するためにコンテキスト情報を用いることをさらに備える、請求項１３に記載の方法。
【請求項１６】
のちに前記ユーザーに提示するために前記選択された少なくとも１つの特定のコンテンツ−メッセージをキャッシュに格納することをさらに備える、請求項１３に記載の方法。
【請求項１７】
無線アクセス端末（Ｗ−ＡＴ）においてターゲット特定コンテンツ−メッセージを提供するためのＷ−ＡＴであって、
コンテンツ−メッセージのプールの各コンテンツ−メッセージ内のコンテンツを記述するメタデータを遠隔装置から受信するように構成された回路と、ここで、コンテンツ−メッセージの前記プールは、一組の広告メッセージを含む、
前記Ｗ−ＡＴにおいてユーザープロフィールに基づいて前記メタデータをフィルタリングして、コンテンツ−メッセージの前記プール内の前記一組の広告メッセージから少なくとも１つの特定のコンテンツ−メッセージを選択するように構成された回路と、
前記選択された少なくとも１つの特定のコンテンツ−メッセージに関する要求を前記遠隔装置に送信するように構成された回路と、
前記要求に応じて、コンテンツ−メッセージの前記プールから前記選択された少なくとも１つの特定のコンテンツ−メッセージを受信するように構成された回路と、
キャッシュ方針に基づいて提示した後に、前記Ｗ−ＡＴ上のキャッシュ内に前記選択された少なくとも１つの特定のコンテンツ−メッセージを保持するように構成された回路と、を備え、前記キャッシュ方針は、
前記選択された少なくとも１つの特定のコンテンツ−メッセージの提示例数、前記選択された少なくとも１つの特定のコンテンツ−メッセージの総表示時間、前記ユーザーによるコンテンツ−メッセージ選択、前記ユーザーによるテレスコーピング選択、コンテンツ−メッセージの引き渡しと関連づけられた前記Ｗ−ＡＴ上でのサービスの使用、またはこれらの任意の組合せ、から選択される１つ以上の規則を含む、を備える、Ｗ−ＡＴ。
【請求項１８】
コンテンツ−メッセージの前記プール内の前記１組の広告メッセージは、複数の広告を含み、
プロセッサは、前記Ｗ−ＡＴにおいて前記ユーザープロフィールに基づいて前記メタデータをフィルタリングするように構成され、前記フィルタリングされたメタデータを使用して前記複数の広告のうちの１つ以上から前記選択された少なくとも１つの特定のコンテンツ−メッセージを選択する請求項１７に記載のＷ−ＡＴ。
【請求項１９】
無線アクセス端末（Ｗ−ＡＴ）のユーザーに提示するためにターゲット特定コンテンツ−メッセージを提供するためのＷ−ＡＴであって、
前記Ｗ−ＡＴにおいてユーザープロフィールを提供するように構成された回路と、
コンテンツ−メッセージのプール内のコンテンツを記述するメタデータに基づいて前記Ｗ−ＡＴにおいて少なくとも１つの特定のコンテンツ−メッセージを選択するように構成された回路と、ここで、前記少なくとも１つの特定のコンテンツ−メッセージは、コンテンツ−メッセージの前記プール内に含まれる一組の広告メッセージから選択される、
前記選択された少なくとも１つの特定のコンテンツ−メッセージに関する要求を遠隔装置に送信するように構成された回路と、
前記要求に応じて前記Ｗ−ＡＴにおいて前記選択された少なくとも１つの特定のコンテンツ−メッセージを受信するように構成された回路と、
前記ユーザープロフィールに基づいて前記Ｗ−ＡＴによって前記ユーザーに前記選択された少なくとも１つの特定のコンテンツ−メッセージを提示するように構成された回路と、
キャッシュ方針に基づいて提示した後に、前記Ｗ−ＡＴ上のキャッシュ内に前記選択された少なくとも１つの特定のコンテンツ−メッセージを保持するように構成された回路と、を備え、前記キャッシュ方針は、
前記選択された少なくとも１つの特定のコンテンツ−メッセージの提示例数、前記選択された少なくとも１つの特定のコンテンツ−メッセージの総表示時間、前記ユーザーによるコンテンツ−メッセージ選択、前記ユーザーによるテレスコーピング選択、コンテンツ−メッセージの引き渡しと関連づけられた前記Ｗ−ＡＴ上でのサービスの使用、またはこれらの任意の組合せ、から選択される１つ以上の規則を含む、Ｗ−ＡＴ。
【請求項２０】
無線アクセス端末（Ｗ−ＡＴ）においてターゲット特定コンテンツ−メッセージを提供するためのＷ−ＡＴであって、
コンテンツ−メッセージのプールの各コンテンツ−メッセージ内のコンテンツを記述するメタデータを遠隔装置から受信するための手段と、ここで、コンテンツ−メッセージの前記プールは、一組の広告メッセージを含み、
前記Ｗ−ＡＴにおいてユーザープロフィールに基づいて前記メタデータをフィルタリングして、コンテンツ−メッセージの前記プール内の前記一組の広告メッセージから少なくとも１つの特定のコンテンツ−メッセージを選択するための手段と、
前記選択された少なくとも１つの特定のコンテンツ−メッセージに関する要求を前記遠隔装置に送信するための手段と、
前記要求に応じて、前記選択された少なくとも１つの特定のコンテンツ−メッセージをコンテンツ−メッセージの前記プールから受信するための手段と、
キャッシュ方針に基づいて提示した後に、前記Ｗ−ＡＴ上のキャッシュ内に前記選択された少なくとも１つの特定のコンテンツ−メッセージを保持するための手段と、を備え、前記キャッシュ方針は、
前記選択された少なくとも１つの特定のコンテンツ−メッセージの提示例数、前記選択された少なくとも１つの特定のコンテンツ−メッセージの総表示時間、ユーザーによるコンテンツ−メッセージ選択、前記ユーザーによるテレスコーピング選択、コンテンツ−メッセージの引き渡しと関連づけられた前記Ｗ−ＡＴ上でのサービスの使用、またはこれらの任意の組合せ、から選択される１つ以上の規則を含む、Ｗ−ＡＴ。
【請求項２１】
無線アクセス端末（Ｗ−ＡＴ）のユーザーに提示するためにターゲット特定コンテンツ−メッセージを提供するためのＷ−ＡＴであって、
前記Ｗ−ＡＴにおいてユーザープロフィールを提供するための手段と、
コンテンツ−メッセージのプール内のコンテンツを記述するメタデータに基づいて前記Ｗ−ＡＴにおいて少なくとも１つの特定のコンテンツ−メッセージを選択するための手段と、ここで、前記少なくとも１つの特定のコンテンツ−メッセージは、コンテンツ−メッセージの前記プール内に含まれる一組の広告メッセージから選択される、
前記選択された少なくとも１つの特定のコンテンツ−メッセージに関する要求を遠隔装置に送信するための手段と、
前記要求に応じて前記Ｗ−ＡＴにおいて前記選択された少なくとも１つの特定のコンテンツ−メッセージを受信するための手段と、
前記ユーザープロフィールに基づいて前記Ｗ−ＡＴによって前記ユーザーに前記選択された少なくとも１つの特定のコンテンツ−メッセージを提示するための手段と、
キャッシュ方針に基づいて提示した後に、前記Ｗ−ＡＴ上のキャッシュ内に前記選択された少なくとも１つの特定のコンテンツ−メッセージを保持するための手段と、を備え、前記キャッシュ方針は、
前記選択された少なくとも１つの特定のコンテンツ−メッセージの提示例数、前記選択された少なくとも１つの特定のコンテンツ−メッセージの総表示時間、前記ユーザーによるコンテンツ−メッセージ選択、前記ユーザーによるテレスコーピング選択、コンテンツ−メッセージの引き渡しと関連づけられた前記Ｗ−ＡＴ上でのサービスの使用、またはこれらの任意の組合せ、から選択される１つ以上の規則を含む、Ｗ−ＡＴ。
【請求項２２】
無線アクセス端末（Ｗ−ＡＴ）においてターゲット特定コンテンツ−メッセージを提供するためのコンピュータ読み取り可能な媒体であって、
コンテンツ−メッセージのプールの各コンテンツ−メッセージ内のコンテンツを記述するメタデータを遠隔装置から受信するための少なくとも１つの命令と、ここで、コンテンツ−メッセージの前記プールは、一組の広告メッセージを含む、
前記Ｗ−ＡＴにおいてユーザープロフィールに基づいて前記メタデータをフィルタリングして、コンテンツ−メッセージの前記プール内の前記一組の広告メッセージから少なくとも１つの特定のコンテンツ−メッセージを選択するための少なくとも１つの命令と、
前記選択された少なくとも１つの特定のコンテンツ−メッセージに関する要求を前記遠隔装置に送信し、前記要求に応じて、前記選択された少なくとも１つの特定のコンテンツ−メッセージをコンテンツ−メッセージの前記プールから受信するための少なくとも１つの命令と、
キャッシュ方針に基づいて提示した後に、前記Ｗ−ＡＴ上のキャッシュ内に前記選択された少なくとも１つの特定のコンテンツ−メッセージを保持するための少なくとも１つの命令と、を備え、前記キャッシュ方針は、
前記選択された少なくとも１つの特定のコンテンツ−メッセージの提示例数、前記選択された少なくとも１つの特定のコンテンツ−メッセージの総表示時間、ユーザーによるコンテンツ−メッセージ選択、前記ユーザーによるテレスコーピング選択、コンテンツ−メッセージの引き渡しと関連づけられた前記Ｗ−ＡＴ上でのサービスの使用、またはこれらの任意の組合せ、から選択される１つ以上の規則を含む、コンピュータ読み取り可能な媒体。
【請求項２３】
無線アクセス端末（Ｗ−ＡＴ）のユーザーに提示するためにターゲット特定コンテンツ−メッセージを提供するためのコンピュータ読み取り可能な媒体であって、
前記Ｗ−ＡＴにおいてユーザープロフィールを提供するための少なくとも１つの命令と、
コンテンツ−メッセージのプール内のコンテンツを記述するメタデータに基づいて前記Ｗ−ＡＴにおいて少なくとも１つの特定のコンテンツ−メッセージを選択するための少なくとも１つの命令と、ここで、前記少なくとも１つの特定のコンテンツ−メッセージは、コンテンツ−メッセージの前記プール内に含まれる一組の広告メッセージから選択される、
前記選択された少なくとも１つの特定のコンテンツ−メッセージに関する要求を遠隔装置に送信するための少なくとも１つの命令と、
前記要求に応じて前記Ｗ−ＡＴにおいて前記選択された少なくとも１つの特定のコンテンツ−メッセージを受信するための少なくとも１つの命令と、
前記ユーザープロフィールに基づいて前記Ｗ−ＡＴによって前記ユーザーに前記選択された少なくとも１つの特定のコンテンツ−メッセージを提示するための少なくとも１つの命令と、
キャッシュ方針に基づいて提示した後に、前記Ｗ−ＡＴ上のキャッシュ内に前記選択された少なくとも１つの特定のコンテンツ−メッセージを保持するための少なくとも１つの命令と、を備え、前記キャッシュ方針は、
前記選択された少なくとも１つの特定のコンテンツ−メッセージの提示例数、前記選択された少なくとも１つの特定のコンテンツ−メッセージの総表示時間、前記ユーザーによるコンテンツ−メッセージ選択、前記ユーザーによるテレスコーピング選択、コンテンツ−メッセージの引き渡しと関連づけられた前記Ｗ−ＡＴ上でのサービスの使用、またはこれらの任意の組合せ、から選択される１つ以上の規則を含む、コンピュータ読み取り可能な媒体。
【手続補正２】
【補正対象書類名】明細書
【補正対象項目名】０１２８
【補正方法】変更
【補正の内容】
【０１２８】
開示される実施形態に関する上記の説明は、当業者がここにおいて開示される特徴、機能、動作、及び実施形態を製造する又は使用するのを可能にすることを目的とするものである。これらの実施形態に対する様々な修正は、当業者にとって容易に明確になるであろう。さらに、ここにおいて定められている一般原理は、その精神又は適用範囲を逸脱しない形でその他の側面に対しても適用することができる。以上のように、本開示は、ここにおいて示される実施形態に限定されることが意図されるものではなく、ここにおいて開示される原理及び斬新な特徴に一致する限りにおいて最も広範な適用範囲が認められるべきである。
以下に、本願出願の当初の特許請求の範囲に記載された発明を付記する。
［Ｃ１］
無線アクセス端末（Ｗ−ＡＴ）においてターゲット特定コンテンツ−メッセージを提供するための方法であって、
コンテンツ−メッセージのプールに関するメタデータを遠隔装置から受信することと、
前記Ｗ−ＡＴにおいてユーザープロフィールに基づいて前記メタデータをフィルタリングして少なくとも１つの特定のコンテンツ−メッセージを選択することと、
前記少なくとも１つの特定のコンテンツ−メッセージをコンテンツ−メッセージの前記プールから受け取ること、とを備える、方法。
［Ｃ２］
コンテンツ−メッセージに関する第１の要求を前記遠隔装置に送信することをさらに備え、前記第１の要求は、コンテンツ−メッセージ選択限定子を含むＣ１に記載の方法。
［Ｃ３］
前記第１の要求は、コンテンツ−メッセージ選択限定子を含むＣ２に記載の方法。
［Ｃ４］
選択された特定のコンテンツ−メッセージに関する要求を前記遠隔装置に送信することをさらに備えるＣ１に記載の方法。
［Ｃ５］
前記メタデータは、前記選択限定子に応じたコンテンツ−メッセージに関する特定のメタデータを含むＣ４に記載の方法。
［Ｃ６］
前記コンテンツ−メッセージに関する第１の要求を前記遠隔装置に送信することをさらに備え、
前記第１の要求は、コンテンツ−メッセージ選択限定子を含み、前記受信されたメタデータは、前記選択限定子に応じたコンテンツ−メッセージに関する特定のメタデータを含むＣ１に記載の方法。
［Ｃ７］
ユーザーの活動に基づいて前記コンテンツ−メッセージを識別することと、
前記ユーザーの活動に応じて及び前記メタデータに基づいて前記コンテンツ−メッセージを前記ユーザーに提示すること、とをさらに含み、前記ユーザーの活動は、前記コンテンツ−メッセージのメタデータ成分と関連づけられた前記Ｗ−ＡＴの予め決められた使用を含むＣ１に記載の方法。
［Ｃ８］
前記ユーザーの活動は、コンテンツ−メッセージテレスコーピング要求を含むＣ７に記載の方法。
［Ｃ９］
前記コンテンツ−メッセージを前記Ｗ−ＡＴ上のキャッシュ内に保持することをさらに備えるＣ７に記載の方法。
［Ｃ１０］
キャッシュ方針に基づいて前記コンテンツ−メッセージを保持することをさらに備え、前記キャッシュ方針は、以下から選択された少なくとも１つの規則を含むＣ９に記載の方法。
前記コンテンツ−メッセージの存在期間
前記コンテンツ−メッセージの提示例数
前記コンテンツ−メッセージの総表示時間
前記ユーザーによるコンテンツ−メッセージ選択
前記ユーザーによるテレスコーピング選択
コンテンツ−メッセージの引き渡しと関連づけられた前記Ｗ−ＡＴ上でのサービスの使用
［Ｃ１１］
前記コンテンツ−メッセージと関連づけられたメタデータにおいて提供された規則に従って前記Ｗ−ＡＴ上のキャッシュ内に前記コンテンツ−メッセージを保持することをさらに備えるＣ７に記載の方法。
［Ｃ１２］
ユーザーがコンテンツ−メッセージを受信すべきかどうかを判別するために及び前記コンテンツ−メッセージを前記ユーザーに提示すべきかどうか及びどの時点で提示すべきかを決定するためにコンテキスト情報を用いることをさらに備え、前記コンテキスト情報は、前記Ｗ−ＡＴのコンテキストプロフィール及び前記Ｗ−ＡＴの前記動作を記述するＣ７に記載の方法。
［Ｃ１３］
前記コンテキスト情報は、前記Ｗ−ＡＴの前記ユーザーの申し込みプロフィールと選好とを含むＣ１２に記載の方法。
［Ｃ１４］
ユーザーがコンテンツ−メッセージを受信すべきかどうかを判別するためにコンテキスト情報を用いることをさらに備え、前記コンテキスト情報は、コンテンツ−メッセージの引き渡しを許容又は否定又は変更するための方針として用いられるＣ７に記載の方法。
［Ｃ１５］
前記コンテキスト情報は、前記Ｗ−ＡＴの前記ユーザーの申し込みプロフィールと選好とを含むＣ１４に記載の方法。
［Ｃ１６］
前記ユーザープロフィールに基づいて少なくとも１つのコンテンツ−メッセージを要求することをさらに備えるＣ１に記載の方法。
［Ｃ１７］
前記ユーザープロフィールに基づいて前記コンテンツ−メッセージを受信することをさらに備えるＣ１に記載の方法。
［Ｃ１８］
コンテンツ−メッセージに対応するコンテンツ−メッセージメタデータを受信することと、
前記ユーザープロフィール及び前記受信されたコンテンツ−メッセージメタデータに従って前記コンテンツ−メッセージを選択することと、
前記選択されたコンテンツ−メッセージを要求すること、とをさらに備えるＣ１に記載の方法。
［Ｃ１９］
無線アクセス端末（Ｗ−ＡＴ）において使用法関連規則を用いてコンテンツ−メッセージ関連プロフィールを生成することと、
１つ以上の基本規則に応じて前記コンテンツ−メッセージ関連プロフィールを生成することであって、前記基本規則は、少なくとも１つの予めスケジューリングされたイベントを含むことと、
コンテンツ−メッセージに対応するコンテンツ−メッセージメタデータを受信することと、
前記ユーザープロフィール及び前記受信されたコンテンツ−メッセージメタデータに従って前記コンテンツ−メッセージを選択することと、
前記選択されたコンテンツ−メッセージを要求すること、とをさらに備えるＣ１に記載の方法。
［Ｃ２０］
１つ以上の限定規則に応じて前記コンテンツ−メッセージ関連プロフィールを生成することをさらに備え、前記限定規則は、物理的状態情報及び動作状態情報のうちの少なくとも１つに関連する少なくとも１つの条件を含むＣ１９に記載の方法。
［Ｃ２１］
コンテンツ−メッセージの前記プールは、複数の広告を含み、
前記Ｗ−ＡＴ１００上のユーザープロフィールに基づいて前記メタデータをフィルタリングすることは、広告の選択を含むＣ１に記載の方法。
［Ｃ２２］
ユーザーの活動に基づいて前記コンテンツ−メッセージを識別することと、
前記ユーザーの活動に応じて及び前記メタデータに基づいて前記コンテンツ−メッセージを前記ユーザーに提示すること、とをさらに備え、前記ユーザーの活動は、広告テレスコーピング要求を含むＣ２１に記載の方法。
［Ｃ２３］
前記広告を前記Ｗ−ＡＴ上のキャッシュ内に保持することをさらに備えるＣ２２に記載の方法。
［Ｃ２４］
キャッシュ方針に基づいて前記広告を保持することをさらに備え、前記キャッシュ方針は、以下から選択された少なくとも１つの規則を有する複数の規則含むＣ２３に記載の方法。
前記広告の存在期間
前記広告の提示例数
前記広告の総表示時間
前記ユーザーによる広告選択
前記ユーザーによるテレスコーピング選択
広告の引き渡しと関連づけられた前記Ｗ−ＡＴ上でのサービスの使用
［Ｃ２５］
前記広告と関連づけられたメタデータにおいて提供された規則に従って前記Ｗ−ＡＴ上のキャッシュ内に前記広告を保持することをさらに備えるＣ２２に記載の方法。
［Ｃ２６］
ユーザーが広告を受信すべきかどうかを判別するために及び前記広告を前記ユーザーに提示すべきかどうか及びどの時点で提示すべきかを決定するためにコンテキスト情報を用いることをさらに備え、前記コンテキスト情報は、前記Ｗ−ＡＴのコンテキストプロフィール及び前記Ｗ−ＡＴの動作を記述するＣ２２に記載の方法。
［Ｃ２７］
前記コンテキスト情報は、前記Ｗ−ＡＴの前記ユーザーの前記申し込みプロフィールと選好とを含むＣ２６に記載の方法。
［Ｃ２８］
ユーザーが広告を受信すべきかどうかを判別するためにコンテキスト情報を用いることをさらに備え、
前記コンテキスト情報は、広告引き渡しを許容又は否定又は変更するための方針として用いられるＣ２２に記載の方法。
［Ｃ２９］
前記コンテキスト情報は、前記Ｗ−ＡＴの前記ユーザーの前記申し込みプロフィールと選好とを含むＣ２８に記載の方法。
［Ｃ３０］
広告に対応する広告メタデータを受信することと、
前記ユーザープロフィール及び前記受信された広告メタデータに従って前記広告を選択することと、
前記選択された広告を要求すること、とをさらに備えるＣ２１に記載の方法。
［Ｃ３１］
ターゲット特定コンテンツ−メッセージを無線アクセス端末（Ｗ−ＡＴ）に提供するための方法であって、
コンテンツ−メッセージのプールに関するメタデータを前記Ｗ−ＡＴに提供することであって、前記メタデータは、ユーザープロフィール判定基準を含むことと、
前記メタデータに対応するコンテンツ−メッセージ選択に関する応答を前記Ｗ−ＡＴから受信することと、
コンテンツ−メッセージの前記プールからの少なくとも１つの特定のコンテンツ−メッセージを前記Ｗ−ＡＴに提供すること、とを備える、方法。
［Ｃ３２］
ユーザーの活動のカテゴリによって前記コンテンツ−メッセージを識別することと、
前記メタデータに従って前記ユーザーの活動に応じて前記コンテンツ−メッセージを前記ユーザーに提示すること、とをさらに含み、前記ユーザーの活動は、前記コンテンツ−メッセージのメタデータ成分と関連づけられた前記Ｗ−ＡＴの予め決められた使用を含むＣ３１に記載の方法。
［Ｃ３３］
前記ユーザーの活動は、コンテンツ−メッセージテレスコーピング要求を含むＣ３２に記載の方法。
［Ｃ３４］
ユーザーがコンテンツ−メッセージを受信すべきかどうかを判別するために及び前記コンテンツ−メッセージを前記ユーザーに提示すべきかどうか及びどの時点で提示すべきかを決定するためにコンテキスト情報を用いることをさらに備え、前記コンテキスト情報は、前記Ｗ−ＡＴのコンテキストプロフィール及び前記Ｗ−ＡＴの動作を記述するＣ３２に記載の方法。
［Ｃ３５］
前記コンテキスト情報は、前記Ｗ−ＡＴの前記ユーザーの申し込みプロフィールと選好とを含むＣ３４に記載の方法。
［Ｃ３６］
ユーザーの活動に基づいて前記コンテンツ−メッセージを識別することと、
前記コンテンツ−メッセージを前記Ｗ−ＡＴに提供すること、とをさらに備え、前記ユーザーの活動は、前記コンテンツ−メッセージのメタデータ成分と関連づけられた前記Ｗ−ＡＴの予め決められた使用を含み、前記ユーザーの活動は、広告テレスコーピング要求を含むＣ３５に記載の方法。
［Ｃ３７］
ユーザーが広告を受信すべきかどうかを判別するために及び前記コンテンツ−メッセージを前記ユーザーに提示すべきかどうか及びどの時点で提示すべきかを決定するための規則を前記Ｗ−ＡＴに提供するためにコンテキスト情報を用いることをさらに備え、前記コンテキスト情報は、前記Ｗ−ＡＴのコンテキストプロフィール及び前記Ｗ−ＡＴの少なくとも１つの動作を記述するＣ３１に記載の方法。
［Ｃ３８］
前記コンテキスト情報は、前記Ｗ−ＡＴの前記ユーザーの申し込みプロフィールと選好とを含むＣ３７に記載の方法。
［Ｃ３９］
無線アクセス端末（Ｗ−ＡＴ）のユーザーに提示するためにターゲット特定コンテンツ−メッセージを提供するための方法であって、
前記Ｗ−ＡＴにおいてユーザープロフィールを提供することと、
前記Ｗ−ＡＴにおいて少なくとも１つのコンテンツ−メッセージを受信することと、
前記ユーザープロフィールに基づいて前記Ｗ−ＡＴによって前記ユーザーに前記コンテンツ−メッセージを提示すること、とを備える、方法。
［Ｃ４０］
コンテンツ−メッセージのプールに関するメタデータを遠隔装置から受信することと、
前記ユーザープロフィールに基づいて前記Ｗ−ＡＴにおいて前記メタデータをフィルタリングして少なくとも１つの特定のコンテンツ−メッセージを選択することと、
前記特定のコンテンツ−メッセージをコンテンツ−メッセージのプールから受け取ること、とをさらに備える、Ｃ３９に記載の方法。
［Ｃ４１］
前記ユーザーの活動に応じて及び前記メタデータに基づいて前記受信されたコンテンツ−メッセージを前記ユーザーに提示することをさらに備え、前記ユーザーの活動は、前記コンテンツ−メッセージのメタデータ成分と関連づけられた前記Ｗ−ＡＴの予め決められた使用を含むＣ４０に記載の方法。
［Ｃ４２］
前記ユーザーの活動は、コンテンツ−メッセージテレスコーピング要求を含むＣ４１に記載の方法。
［Ｃ４３］
ユーザーがコンテンツ−メッセージを受信すべきかどうかを判別するために及び前記コンテンツ−メッセージを前記ユーザーに提示すべきかどうか及びどの時点で提示すべきかを決定するためにコンテキスト情報を用いることをさらに備えるＣ３９に記載の方法。
［Ｃ４４］
のちに前記ユーザーに提示するためにコンテンツ−メッセージをキャッシュに格納することをさらに備えるＣ３９に記載の方法。
［Ｃ４５］
ターゲット特定コンテンツ−メッセージを提供する能力を有する無線アクセス端末（Ｗ−ＡＴ）であって、
コンテンツ−メッセージのプールに関するメタデータを遠隔装置から受信する能力を有する回路と、
少なくとも１つのコンテンツ−メッセージを受信する能力を有する回路と、
前記Ｗ−ＡＴにおいてユーザープロフィールに基づいて前記受信されたメタデータをフィルタリングして少なくとも１つの特定のコンテンツ−メッセージを選択し、及び少なくとも１つの特定のコンテンツ−メッセージをコンテンツ−メッセージの前記プールから選択する能力を有するプロセッサと、を備える、無線アクセス端末（Ｗ−ＡＴ）。
［Ｃ４６］
前記プロセッサは、コンテンツ−メッセージのプールに関するメタデータを前記Ｗ−ＡＴにおいて受信し、前記メタデータをフィルタリングし、及びコンテンツ−メッセージの前記プールから選択されたコンテンツ−メッセージを入手するためのさらなる要求を前記遠隔装置に送信する能力を有するＣ４５に記載のＷ−ＡＴ。
［Ｃ４７］
前記ターゲット特定コンテンツ−メッセージは、複数の広告を含み、
前記プロセッサは、前記Ｗ−ＡＴにおいてユーザープロフィールに基づいて前記メタデータをフィルタリングし及び前記フィルタリングされたメタデータを用いて前記広告のうちの１つ以上を選択するＣ４５に記載のＷ−ＡＴ。
［Ｃ４８］
ターゲット特定コンテンツ−メッセージを提供する能力を有する無線アクセス端末（Ｗ−ＡＴ）であって、
コンテンツ−メッセージのプールに関するメタデータを遠隔装置から受信するための手段と、
前記Ｗ−ＡＴにおいてユーザープロフィールに基づいて前記メタデータをフィルタリングして少なくとも１つの特定のコンテンツ−メッセージを選択するための手段と、
少なくとも１つの特定のコンテンツ−メッセージをコンテンツ−メッセージの前記プールから受け取るための手段と、を備える、Ｗ−ＡＴ。
［Ｃ４９］
ユーザーの活動に基づいて前記コンテンツ−メッセージを識別するための手段と、
前記ユーザーの活動に応じて及び前記メタデータに基づいて前記コンテンツ−メッセージを前記ユーザーに提示するための手段と、をさらに含み、前記ユーザーの活動は、前記コンテンツ−メッセージのメタデータ成分と関連づけられた前記Ｗ−ＡＴの予め決められた使用の組み合わせを含むＣ４８に記載のＷ−ＡＴ。
［Ｃ５０］
前記コンテンツ−メッセージと関連づけられたメタデータにおいて提供された規則に従って前記Ｗ−ＡＴ上のキャッシュ内に前記コンテンツ−メッセージを保持するための手段をさらに備えるＣ４８に記載のＷ−ＡＴ。
［Ｃ５１］
ユーザーがコンテンツ−メッセージを受信すべきかどうかを判別するためにコンテキスト情報を用いるための手段と、
前記コンテンツ−メッセージを前記ユーザーに提示すべきかどうか及びどの時点で提示すべきかを決定するための手段と、をさらに備え、前記コンテキスト情報は、前記Ｗ−ＡＴのコンテキストプロフィール及び前記Ｗ−ＡＴの動作を記述するＣ４８に記載のＷ−ＡＴ。
［Ｃ５２］
コンピュータプログラム製品であって、
コンテンツ−メッセージのプールに関するメタデータを遠隔装置から受信するための第１の組の命令と、
前記Ｗ−ＡＴにおいてユーザープロフィールに基づいて前記メタデータをフィルタリングして少なくとも１つの特定のコンテンツ−メッセージを選択するための第２の組の命令と、
少なくとも１つの特定のコンテンツ−メッセージをコンテンツ−メッセージの前記プールから受け取るための第３の組の命令と、を備えるコンピュータによって読み取り可能な媒体、を備える、コンピュータプログラム製品。
［Ｃ５３］
無線アクセス端末（Ｗ−ＡＴ）において使用法関連規則を用いてコンテンツ−メッセージ関連プロフィールを生成するための第４の組の命令と、
基本規則及び限定規則に応じて前記規則を用いて前記コンテンツ−メッセージ関連プロフィールを生成するための第５の組の命令と、
コンテンツ−メッセージに対応するコンテンツ−メッセージメタデータを受信するための第６の組の命令と、
前記ユーザープロフィール及び前記受信されたコンテンツ−メッセージメタデータに従って前記コンテンツ−メッセージを選択するための第７の組の命令と、
前記選択されたコンテンツ−メッセージを要求するための第８の組の命令と、をさらに備えるＣ５２に記載のコンピュータプログラム製品。
［Ｃ５４］
無線アクセス端末（Ｗ−ＡＴ）であって、
コンテンツ−メッセージのプールに関するメタデータを遠隔装置から受信するための手段と、
前記Ｗ−ＡＴにおいてユーザープロフィールに基づいて前記メタデータをフィルタリングして少なくとも１つの特定のコンテンツ−メッセージを選択するための手段と、
少なくとも１つの特定のコンテンツ−メッセージをコンテンツ−メッセージの前記プールから受け取るための手段と、を備える、無線アクセス端末（Ｗ−ＡＴ）。
［Ｃ５５］
前記コンテンツ−メッセージに関する第１の要求を前記遠隔装置に送信するための手段をさらに備え、前記第１の要求は、コンテンツ−メッセージ選択限定子を含み、前記受信されたメタデータは、前記選択限定子に応じたコンテンツ−メッセージに関する特定のメタデータを含むＣ５４に記載のＷ−ＡＴ。
［Ｃ５６］
コンテンツ−メッセージに対応するコンテンツ−メッセージメタデータを受信するための手段と、
前記ユーザープロフィール及び前記受信されたコンテンツ−メッセージメタデータに従って前記コンテンツ−メッセージを選択するための手段と、
前記選択されたコンテンツ−メッセージを要求するための手段と、をさらに備えるＣ５４に記載のＷ−ＡＴ。
［Ｃ５７］
無線アクセス端末（Ｗ−ＡＴ）において使用法関連規則を用いてコンテンツ−メッセージ関連プロフィールを生成するための手段と、
基本規則及び限定規則に応じて前記規則を用いて前記コンテンツ−メッセージ関連プロフィールを生成するための手段であって、前記基本規則は、予めスケジューリングされたイベントを含み、前記限定規則は、少なくとも１つの条件とイベントとを含み、条件は、物理的状態情報及び動作状態情報のうちの少なくとも１つに関連する手段と、
コンテンツ−メッセージに対応するコンテンツ−メッセージメタデータを受信するための手段と、
前記ユーザープロフィール及び前記受信されたコンテンツ−メッセージメタデータに従って前記コンテンツ−メッセージを選択するための手段と、
前記選択されたコンテンツ−メッセージを要求するための手段と、をさらに備えるＣ５４に記載のＷ−ＡＴ。
［Ｃ５８］
のちに前記ユーザーに提示するためにコンテンツ−メッセージをキャッシュに格納するための手段をさらに備えるＣ５４に記載のＷ−ＡＴ。
［Ｃ５９］
コンテンツ−メッセージの前記プールは、複数の広告を含み、
前記Ｗ−ＡＴにおいてユーザープロフィールに基づいて前記メタデータをフィルタリングすることは、広告の選択を含むＣ５４に記載のＷ−ＡＴ。
［Ｃ６０］
ユーザーの活動に基づいて前記コンテンツ−メッセージを識別するための手段と、
前記メタデータに従って前記ユーザーの活動に応じて前記コンテンツ−メッセージを前記ユーザーに提示するための手段と、を備え、前記ユーザーの活動は、前記コンテンツ−メッセージのメタデータ成分と関連づけられた前記Ｗ−ＡＴの予め決められた使用を含み、前記ユーザーの活動は、広告テレスコーピング要求を含むＣ５９に記載のＷ−ＡＴ。
［Ｃ６１］
ユーザーが広告を受信すべきかどうかを判別するために及び前記広告を前記ユーザーに提示すべきかどうか及びどの時点で提示すべきかを決定するためにコンテキスト情報を用いるための手段をさらに備え、前記コンテキスト情報は、前記Ｗ−ＡＴのコンテキストプロフィール及び前記Ｗ−ＡＴの動作を記述するＣ６０に記載のＷ−ＡＴ。
［Ｃ６２］
広告に対応する広告メタデータを受信するための手段と、
前記ユーザープロフィール及び前記受信された広告メタデータに従って前記広告を選択するための手段と、
前記選択された広告を要求するための手段と、をさらに備えるＣ５４に記載のＷ−ＡＴ。
［Ｃ６３］
無線通信デバイス（ＷＣＤ）において用いるための、少なくとも１つの半導体集積回路チップを含むチップセットであって、
コンテンツ−メッセージのプールに関するメタデータを遠隔装置から受信する能力を有する回路と、
前記Ｗ−ＡＴにおいてユーザープロフィールに基づいて前記メタデータをフィルタリングして少なくとも１つの特定のコンテンツ−メッセージを選択する能力を有する回路と、
少なくとも１つの特定のコンテンツ−メッセージをコンテンツ−メッセージの前記プールから受け取る能力を有する回路と、を備える、チップセット。
［Ｃ６４］
コンテンツ−メッセージの前記プールは、複数の広告を含み、
前記Ｗ−ＡＴにおいてユーザープロフィールに基づいて前記メタデータをフィルタリングする能力を有する前記回路は、広告を選択する能力を有するＣ６３に記載のチップセット。